【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射された光束を偏向手段に入射させる入射光学系と、前記偏向手段で偏向反射された光束を被走査面上に導光する結像光学系と、を有する光走査装置において、
前記結像光学系は、主走査方向と副走査方向とでパワーの異なるトーリックレンズを有し、前記トーリックレンズを構成する一方のトーリック面Ｒ２は、全域における全ての子線曲率中心が存在する一つの平面を定義できない形状であり、前記トーリックレンズを構成する他方のトーリック面Ｒ１は、全域における全ての子線曲率中心を結んだ曲線が同一の平面Ｈａ上に存在する形状に設定されていることを特徴とする光走査装置。
【請求項２】
前記トーリックレンズの他方のトーリック面Ｒ１は、主走査方向の位置によって子線曲率半径が変化するトーリック面であることを特徴とする請求項１に記載の光走査装置。
【請求項３】
前記被走査面上の中央像高に入射する光束が前記トーリックレンズへの入射するときの主光線と前記平面Ｈａとは非平行であることを特徴とする請求項１又は２に記載の光走査装置。
【請求項４】
前記トーリックレンズの他方のトーリック面Ｒ１は、主走査方向における子線曲率半径をＲａとするとき、
１００（ｍｍ）≦｜Ｒａ｜（ｍｍ）
なる領域を有することを特徴とする請求項１乃至３の何れか１項に記載の光走査装置。
【請求項５】
前記入射光学系は、前記光源手段からの光束を前記偏向手段の偏向面に対して副走査断面内で斜め方向から入射させることを特徴とする請求項１乃至４の何れか１項に記載の光走査装置。
【請求項６】
前記トーリックレンズの一方のトーリック面Ｒ２の子線曲率半径の中心位置の副走査方向の最大差をΔＡ（ｍｍ）とするとき、
０（ｍｍ）≦ΔＡ≦１（ｍｍ）
なる条件を満足することを特徴とする請求項１乃至５の何れか１項に記載の光走査装置。 
【請求項７】
前記結像光学系は、単一のトーリックレンズから成ることを特徴とする請求項１乃至６の何れか１項に記載の光走査装置。
【請求項８】
前記トーリックレンズの一方のトーリック面Ｒ２は、前記トーリック面Ｒ２の各領域の子線頂点を結ぶ母線の形状が副走査方向に湾曲した曲線形状より成ることを特徴とする請求項１乃至７の何れか１項に記載の光走査装置。
【請求項９】
請求項１乃至８の何れか１項に記載の光走査装置と、前記被走査面に配置された感光体と、前記光走査装置で走査された光束によって前記感光体に形成された静電潜像をトナー像として現像する現像器と、現像されたトナー像を被転写材に転写する転写器と、転写されたトナー像を被転写材に定着させる定着器とを有することを特徴とする画像形成装置。
【請求項１０】
請求項１乃至８の何れか１項に記載の光走査装置と、外部機器から入力したコードデータを画像信号に変換して前記光走査装置に入力せしめるプリンタコントローラとを有していることを特徴とする画像形成装置。
【請求項１１】
各々が請求項１乃至８の何れか１項に記載の光走査装置の被走査面に配置され、互いに異なった色の画像を形成する複数の像担持体とを有することを特徴とするカラー画像形成装置。
【請求項１２】
外部機器から入力した色信号を異なった色の画像データに変換して各々の光走査装置に入力せしめるプリンタコントローラを有していることを特徴とする請求項１１に記載のカラー画像形成装置。
【手続補正２】
【補正対象書類名】明細書
【補正対象項目名】００２０
【補正方法】変更
【補正の内容】
【００２０】
請求項１の発明の光走査装置は、光源手段と、前記光源手段から出射された光束を偏向手段に入射させる入射光学系と、前記偏向手段で偏向反射された光束を被走査面上に導光する結像光学系と、を有する光走査装置において、
前記結像光学系は、主走査方向と副走査方向とでパワーの異なるトーリックレンズを有し、前記トーリックレンズを構成する一方のトーリック面Ｒ２は、全域における全ての子線曲率中心が存在する一つの平面を定義できない形状であり、前記トーリックレンズを構成する他方のトーリック面Ｒ１は、全域における全ての子線曲率中心を結んだ曲線が同一の平面Ｈａ上に存在する形状に設定されていることを特徴としている。
【手続補正３】
【補正対象書類名】明細書
【補正対象項目名】００２１
【補正方法】変更
【補正の内容】
【００２１】
請求項２の発明は請求項１の発明において、前記トーリックレンズの他方のトーリック面Ｒ１は、主走査方向の位置によって子線曲率半径が変化するトーリック面であることを特徴としている。
【手続補正４】
【補正対象書類名】明細書
【補正対象項目名】００２２
【補正方法】変更
【補正の内容】
【００２２】
請求項３の発明は請求項１又は２の発明において、前記被走査面上の中央像高に入射する光束が前記トーリックレンズへの入射するときの主光線と前記平面Ｈａとは非平行であることを特徴としている。
【手続補正５】
【補正対象書類名】明細書
【補正対象項目名】００２３
【補正方法】変更
【補正の内容】
【００２３】
請求項４の発明は請求項１乃至３の何れか１項の発明において、前記トーリックレンズの他方のトーリック面Ｒ１は、主走査方向における子線曲率半径をＲａとするとき、
１００（ｍｍ）≦｜Ｒａ｜（ｍｍ）
なる領域を有することを特徴としている。
【手続補正６】
【補正対象書類名】明細書
【補正対象項目名】００２４
【補正方法】変更
【補正の内容】
【００２４】
請求項５の発明は請求項１乃至４の何れか１項の発明において、前記入射光学系は、前記光源手段からの光束を前記偏向手段の偏向面に対して副走査断面内で斜め方向から入射させることを特徴としている。
【手続補正７】
【補正対象書類名】明細書
【補正対象項目名】００２５
【補正方法】変更
【補正の内容】
【００２５】
請求項６の発明は請求項１乃至５の何れか１項の発明において、前記トーリックレンズの一方のトーリック面Ｒ２の子線曲率半径の中心位置の副走査方向の最大差をΔＡ（ｍｍ）とするとき、
０（ｍｍ）≦ΔＡ≦１（ｍｍ）
なる条件を満足することを特徴としている。
【手続補正８】
【補正対象書類名】明細書
【補正対象項目名】００２６
【補正方法】変更
【補正の内容】
【００２６】
請求項７の発明は請求項１乃至６の何れか１項の発明において、前記結像光学系は、単一のトーリックレンズから成ることを特徴としている。
【手続補正９】
【補正対象書類名】明細書
【補正対象項目名】００２７
【補正方法】変更
【補正の内容】
【００２７】
請求項８の発明は請求項１乃至７の何れか１項の発明において、前記トーリックレンズの一方のトーリック面Ｒ２は、前記トーリック面Ｒ２の各領域の子線頂点を結ぶ母線の形状が副走査方向に湾曲した曲線形状より成ることを特徴としている。
【手続補正１０】
【補正対象書類名】明細書
【補正対象項目名】００２８
【補正方法】変更
【補正の内容】
【００２８】
請求項９の発明の画像形成装置は、請求項１乃至８の何れか１項に記載の光走査装置と、前記被走査面に配置された感光体と、前記光走査装置で走査された光束によって前記感光体に形成された静電潜像をトナー像として現像する現像器と、現像されたトナー像を被転写材に転写する転写器と、転写されたトナー像を被転写材に定着させる定着器とを有することを特徴としている。
【手続補正１１】
【補正対象書類名】明細書
【補正対象項目名】００２９
【補正方法】変更
【補正の内容】
【００２９】
請求項１０の発明の画像形成装置は、請求項１乃至８の何れか１項に記載の光走査装置と、外部機器から入力したコードデータを画像信号に変換して前記光走査装置に入力せしめるプリンタコントローラとを有していることを特徴としている。
【手続補正１２】
【補正対象書類名】明細書
【補正対象項目名】００３０
【補正方法】変更
【補正の内容】
【００３０】
請求項１１の発明のカラー画像形成装置は、各々が請求項１乃至８の何れか１項に記載の光走査装置の被走査面に配置され、互いに異なった色の画像を形成する複数の像担持体とを有することを特徴としている。
【手続補正１３】
【補正対象書類名】明細書
【補正対象項目名】００３１
【補正方法】変更
【補正の内容】
【００３１】
請求項１２の発明は請求項１１の発明において、外部機器から入力した色信号を異なった色の画像データに変換して各々の光走査装置に入力せしめるプリンタコントローラを有していることを特徴としている。
【手続補正１４】
【補正対象書類名】明細書
【補正対象項目名】００４６
【補正方法】変更
【補正の内容】
【００４６】
本実施例におけるトーリックレンズ８の出射面Ｒ２（トーリック面Ｒ２）は全域における全ての子線曲率中心を結んだ曲線が同一の平面上に無い形状であり、入射面Ｒ１（他方のトーリック面Ｒ１）は子線曲率中心を結んだ曲線が同一の平面Ｈａ上に存在する形状に設定されている。更に入射面Ｒ１は、主走査方向の位置によって子線曲率半径が変化するトーリック面より成っている。
【手続補正１５】
【補正対象書類名】明細書
【補正対象項目名】００９０
【補正方法】変更
【補正の内容】
【００９０】
現像器107によって現像されたトナー像は、感光ドラム101の下方で、感光ドラム101に対向するように配設された転写ローラ（転写器）108によって被転写材たる用紙112上に転写される。用紙112は感光ドラム101の前方（図７において右側）の用紙カセット109内に収納されているが、手差しでも給紙が可能である。用紙カセット109端部には、給紙ローラ110が配設されており、用紙カセット109内の用紙112を搬送路へ送り込む。